【事件の表示】
　特願２００６−３２１１１５「白色有機エレクトロルミネッセンス素子」拒絶査定不服審判事件〔平成１９年　７月１２日出願公開、特開２００７−１８００２０〕について、次のとおり審決する。
【結　論】
　本件審判の請求は、成り立たない。
【理　由】
第１　手続の経緯
　本願は、特許法第４１条に基づく優先権主張を伴う平成１８年１１月２９日（優先日：平成１７年１１月３０日、出願番号：特願２００５−３４６４０３号）の出願であって、平成２３年１０月２６日付けで拒絶理由の通知がなされ、これに対して、同年１２月２７日に手続補正がなされたが、平成２４年９月２５日付けで拒絶査定がなされた。
　これに対し、同年１２月２０日に拒絶査定に対する不服審判請求がなされたものである。
　
第２　本願発明
　本願の請求項１に係る発明は、平成２３年１２月２７日付けの手続補正により補正された、特許請求の範囲の請求項１に記載された事項により特定される、以下のとおりのものである。
　
　「電荷輸送材料又は発光材料として高分子材料を含み、異なる発光色を示す少なくとも二つの発光層が積層されてなり、前記発光層のうち少なくとも一層が、架橋された発光層であり、全体として白色光を発光し、
　前記架橋は架橋剤によって行なわれ、架橋剤は芳香環を含まないことを特徴とする白色エレクトロルミネッセンス素子。」（以下「本願発明」という。）
　
１．引用刊行物及び該刊行物に記載の発明
　原査定の拒絶の理由に引用され、本願の優先日前に頒布された刊行物である、特開２００５−２４３３００号公報（以下「引用文献１」という。）には、以下の事項が記載されている。 
（１）「【０００１】
　本発明は、有機エレクトロルミネッセント素子及びその製造方法に関するものである。」
（２）「【０００３】
　従来有機材料層の形成方法としては、真空蒸着法等の方法が用いられている。しかしながら、溶液を塗布することにより塗膜として有機材料層を形成することができれば、素子の製造工程を簡略化することができる。このような塗膜形成法により有機材料層を複数層積層して形成する場合の問題として、下地層となる有機材料層の上に溶液を塗布した際に、溶液中の溶媒によって下地層が溶解してしまうという問題がある。この問題を解決する方法として、下地層を架橋し溶剤に対して不溶化させておくという方法が考えられる。」
（３）「【０００５】
　本発明の目的は、複数の有機層を積層した構造を有する有機ＥＬ素子において、下地となる有機層とその上に形成する有機層のいずれをも、溶液の塗布により塗膜を形成する方法で形成することができ、かつ良好な発光特性を有する有機ＥＬ素子及びその製造方法を提供することにある。」
（４）「【０００６】
　本発明は、一対の電極と、該電極の間に配置される第１の有機層及び第２の有機層とを備え、第１の有機層及び第２の有機層が溶液を塗布することにより形成される塗膜であり、第１の有機層の上に第２の有機層が形成される有機ＥＬ素子であって、第１の有機層が、キャリア輸送性または発光性を有するポリマーと、官能基を有する低分子架橋剤とを含有し、該低分子架橋剤が第１の有機層内で架橋していることを特徴としている。
　【０００７】
　本発明においては、下地層となる第１の有機層が、キャリア輸送性または発光性を有するポリマーと、低分子架橋剤とを含有し、低分子架橋剤が第１の有機層内で架橋している。本発明においては、キャリア輸送性または発光性を有する材料が、ポリマー材料であるため、第１の有機層内においてマトリックスとなり得る。このため、良好なキャリア輸送性または発光性を示す。従って、良好な発光特性を有する有機ＥＬ素子とすることができる。
　【０００８】
　本発明においては、第１の有機層が低分子架橋剤により架橋されているので、その上に形成する第２の有機層を、溶液塗布法により形成することができる。」
（５）「【００２３】
・・・
　本発明における低分子架橋剤の具体例としては、ジビニルベンゼン、アクリレート類、メタクリレート類、・・・などが挙げられる。」
（６）「【００３３】
　本発明の有機ＥＬ素子の製造方法は、上記本発明の有機ＥＬ素子を製造することができる方法であり、上記ポリマーと、上記低分子架橋剤を含有した溶液を塗布して塗膜を形成する工程と、塗膜内の低分子架橋剤を架橋させて第１の有機層を形成する工程と、第１の有機層の上に溶液を塗布して第２の有機層を形成する工程とを備えることを特徴としている。
　【００３４】
　本発明の製造方法によれば、第１の有機層及び第２の有機層を、共に塗膜として形成することができ、かつ良好な発光特性を有する有機ＥＬ素子を製造することができる。
　【００３５】
　本発明において、第１の有機層は、電子輸送層及びホール輸送層などのキャリア輸送層、並びに発光層などとして形成することができる。また、キャリア輸送層は、電子阻止層及びホール阻止層などと呼ばれる層であってもよい。
　【００３６】
　本発明における第２の有機層は、第１の有機層の上に形成される層であればよく、上記のキャリア輸送層及び発光層などとして形成することができるものである。
【発明の効果】
【００３７】
　本発明によれば、下地となる第１の有機層と、その上に形成される第２の有機層のいずれをも塗膜として形成することができ、かつ良好な発光特性を有する有機ＥＬ素子とすることができる。」
（７）「【００８０】
　（実施例１）
　＜１，４−ブタンジオールジメタクリレートによるポリマー１の架橋＞
　ポリマー１（２０ｍｇ）、架橋剤（１，４−ブタンジオールジメタクリレート：ＢＤＭＡ）（１２ｍｇ）、光開始剤（ベンゾインエチルエーテル）（０．６ｍｇ）及びトルエン５ｍｌからポリマー溶液を調製し、上記架橋方法に従い、ＵＶ光を５分間照射した後のポリマー薄膜中のゲル含有量を測定した。ゲル含有量は９０％以上であった。」
（８）「【００８４】
　（実施例２）
　＜トリメチロールプロパントリメタクリレートによるポリマー５の架橋＞
　ポリマー５（２０ｍｇ）、架橋剤としてのトリメチロールプロパントリメタクリレート（５ｍｇ）、光開始剤としてのベンゾインエチルエーテル（０．０２ｍｇ）、及びトルエン５ｍｌからポリマー溶液を調製し、上記架橋方法に従い、３分間ＵＶ光を照射した後、ゲル含有量を測定した。ゲル含有量は９２％であった。」
（９）「【００８７】
　（実施例３）
　＜トリメチロールプロパントリアクリレートによるポリマー１の架橋＞
　ポリマー１（２０ｍｇ）、架橋剤としてのトリメチロールプロパントリアクリレート（５ｍｇ）、光開始剤としてのベンゾインエチルエーテル（０．０２ｍｇ）、及びトルエン５ｍｌからポリマー溶液を調製し、上記の架橋方法に従い、約５分間ＵＶ光を照射した後、ゲル含有量を測定した。ゲル含有量は９５％以上であった。」
（１０）「【０１００】
・・・
　有機ＥＬ素子の構造としては、図１〜図３に示す３種類の構造のものを作製した。図１〜図３において、１はガラス基板、２は透明電極（ＩＴＯ）、３はＰＥＤＯＴ：ＰＳＳからなるホール注入層（ＨＩＬ）、４は電子阻止層（ＥＢＬ）、５は発光層（ＥＭＬ）、６は電子輸送層（ＥＴＬ）、７はＣａまたはＬｉＦ／Ｃａからなる電子注入層（ＥＩＬ）、８はＡｌからなる電極を示している。
【０１０１】
　図１は、比較例の有機ＥＬ素子の構造を示しており、電子阻止層３の上に直接発光層５が設けられている。
【０１０２】
　図２は実施例の有機ＥＬ素子の構造を示しており、ホール注入層３の上に、電子阻止層４を形成した後、電子阻止層４の上に発光層５を形成している。図２に示す素子構造において、第１の有機層は電子阻止層４であり、第２の有機層は発光層５である。
【０１０３】
　図３は、実施例の有機ＥＬ素子の構造を示しており、ホール注入層３の上に電子阻止層４を形成し、電子阻止層４の上に発光層５及び電子輸送層６を形成している。図３に示す素子において、電子阻止層４及び発光層５が第１の有機層に相当し、電子輸送層６が第２の有機層に相当する。」
　
　これらの記載事項を含む引用文献１全体の記載及び当業者の技術常識を総合すれば、引用文献１には、以下の発明が記載されている。
　
　「一対の電極と、該電極の間に配置される電子阻止層（４）及び発光層（５）からなる第１の有機層及び電子輸送層（６）からなる第２の有機層とを備え、第１の有機層及び第２の有機層が溶液を塗布することにより形成される塗膜であり、第１の有機層の上に第２の有機層が形成される有機ＥＬ素子であって、第１の有機層が、キャリア輸送性または発光性を有するポリマーと、官能基を有するＢＤＭＡからなる低分子架橋剤とを含有し、該ＢＤＭＡからなる低分子架橋剤が第１の有機層内で架橋している有機ＥＬ素子。」（以下「引用発明」という。）
　
２．対比
　本願発明と引用発明とを対比する。
（１）引用発明の「キャリア輸送性または発光性を有するポリマー」は本願発明の「電荷輸送材料又は発光材料として」の「高分子材料」に相当する。
（２）引用発明の「低分子架橋剤が第１の有機層内で架橋している」構成は本願発明の「発光層」「が、架橋された発光層であ」る構成に相当する。
（３）引用発明の架橋が「架橋剤によって行なわれ」ること、及び「ＢＤＭＡからなる低分子架橋剤」が「芳香環を含まないこと」は、当業者にとって自明の事項である。
（４）引用発明の「有機ＥＬ素子」は本願発明の「エレクトロルミネッセンス素子」に相当する。
　
　そうすると、両者は、
　「電荷輸送材料又は発光材料として高分子材料を含み、発光層が、架橋された発光層であり、
　前記架橋は架橋剤によって行なわれ、架橋剤は芳香環を含まないエレクトロルミネッセンス素子。」
の点で一致し、次の点で相違している。
　
（相違点）
　本願発明では「異なる発光色を示す少なくとも二つの発光層が積層されてなり、全体として白色光を発光」する素子であるのに対して、引用発明ではそのような構成を有していない点。
　
３．判断 
　上記相違点について検討する。
　発光材料として高分子材料を含むエレクトロルミネッセンス素子において、異なる発光色を示す少なくとも二つの発光層を積層して、全体として白色光を発光することにより白色の素子を構成することは、ごく普通に行われている周知技術である。
　そして、引用文献１には、第１の有機層だけではなく第１の有機層の上に形成される第２の有機層も発光層として形成できることが記載（上記摘記事項（６）段落【００３６】参照）されているから、引用発明の発光層に当該周知技術を適用して多層化し、上記相違点に係る構成を採用することは、当業者が容易になしうる事項である。
　
　そして、本願発明全体の効果も、引用発明及び周知技術から当業者が予測し得る範囲のものであって格別なものではない。
　
　したがって、本願発明は、引用発明及び周知技術に基いて当業者が容易に発明をすることができたものである。
　
第３　むすび 
　以上のとおり、本願発明は、引用発明及び周知技術に基いて当業者が容易に発明をすることができたものであり、特許法第２９条第２項の規定により特許を受けることができないから、本願は、拒絶されるべきものである。
　よって、結論のとおり審決する。